(57)【要約】【課題】下着ショーツのように常時着用することで、人体の股間部における恥骨部域の膨出・隆起した部分を空気圧による圧迫力によって矯正可能にする。【解決手段】人体の腹部に巻装するベルト部２と、ベルト部２前側から人体の股間部における恥骨部域Ａ、肛門部域Ｂ、尾骨部域Ｃを経てベルト部２後側に至るクロッチ部３とを備え、恥骨部域Ａに対応するクロッチ部３の内側に、当該恥骨部域Ａを空気圧によって押圧するよう携帯式に所持可能なエアーポンプ６に接続した矯正用の空気袋体４Ａを備える。クロッチ部３の恥骨部域Ａから尾骨部域Ｃにかけて、人体の陰茎部Ｄをクロッチ部３外側へ突出可能とするスライドファスナー７Ａによって開閉される孔部７を備える。ベルト部２には、その途中を切断した相対向する重なり部分が互いに長さを調整しながら接合可能となる固定手段８を付設する。【選択図】　　　　　図３
2004041610.tif 000002
【特許請求の範囲】
【請求項１】
人体の腹部に巻装されるベルト部と、ベルト部前側下縁部から人体の股間部における恥骨部域、肛門部域、尾骨部域を経てベルト部後側下縁部に至るクロッチ部とを備え、恥骨部域に対応するクロッチ部の内側に、当該恥骨部域を空気圧によって押圧する矯正用の空気袋体を備えて成ることを特徴とする恥骨矯正具。
【請求項２】
クロッチ部の側面から矯正用の空気袋体を挿入し、臍部域に対応するクロッチ部内側位置に配置させた請求項１記載の恥骨矯正具。
【請求項３】
空気袋体は、着脱可能な給気管を介して携帯式に所持可能なエアーポンプに接続されている請求項１または２記載の恥骨矯正具。
【請求項４】
クロッチ部の中央箇所における恥骨部域から尾骨部域にかけて、人体の陰茎部をクロッチ部外側へ突出可能とするようスライドファスナーによって開閉される縦長スリット状の孔部を備えている請求項１乃至３のいずれか記載の恥骨矯正具。
【請求項５】
ベルト部には、その途中を切断した相対向する重なり部分が互いに長さを調整しながら接合可能となる長目の面ファスナー部、もしくはベルト部の左右対称位置を切断し、この切断端それぞれに設けたフック構造部等の固定手段を付設してある請求項１乃至４のいずれか記載の恥骨矯正具。
【発明の詳細な説明】
【０００１】
【発明の属する技術分野】
本発明は、通常のショートパンツや、所謂ショーツのように着用することにより、人体の股間部における恥骨部域を強制的に押圧矯正することで股間部の凹凸形状を平坦状に整形できるようにし、しかも男女兼用のものとできる恥骨矯正具に関するものである。
【０００２】
【従来の技術】
人体の股間部における恥骨部域の凹凸変形は、特に女性において水着・レオタード・ウエストニッパー・ボデイスーツ・ガードル等の衣類を着用した際にはその衣類を通して外部に諸に浮き出てしまい、外観上あまり好ましいものではない。このため、従来では殆どの場合が、恥骨部域の凹凸形状全体をパッド等の被覆部材によって覆い隠すという方式を採っている。
【０００３】
【発明が解決しようとする課題】
このように従来においては、恥骨部域の凹凸形状全体の補正は、パッド等の被覆部材によって覆い隠すという消極的な方式でしか存在せず、人体の股間部における恥骨部域の凹凸形状を空気圧による圧迫力によって平坦状となるように積極的に整形するための恥骨矯正具は未だに実在しないのであった。
【０００４】
そこで本発明は叙上のような従来存した諸事情に鑑み創出されたもので、下着ショーツのように常時着用しておくことで、人体の股間部における恥骨部域の例えば膨出・隆起した部分を空気圧による圧迫作用によって矯正し、平坦状となるように容易に矯正、整形することのできる男女兼用の恥骨矯正具を提供することを目的とする。
【０００５】
【課題を解決するための手段】
上述した課題を達成するため、本発明にあっては、人体の腹部に巻装されるベルト部２と、ベルト部２前側下縁部から人体の股間部における恥骨部域Ａ、肛門部域Ｂ、尾骨部域Ｃを経てベルト部２後側下縁部に至るクロッチ部３とを備え、恥骨部域Ａに対応するクロッチ部３の内側に、当該恥骨部域Ａを空気圧によって押圧する矯正用の空気袋体４Ａを備えて成る恥骨矯正具１としたものである。
クロッチ部３の側面から矯正用の空気袋体４Ｂを挿入し、臍部域Ｅに対応するクロッチ部３内側位置に配置させたものとできる。
空気袋体４Ａ，４Ｂは、着脱可能な給気管５を介して携帯式に所持可能なエアーポンプ６に接続されているものとできる。
クロッチ部３の中央箇所における恥骨部域Ａから尾骨部域Ｃにかけて、人体の陰茎部Ｄをクロッチ部３外側へ突出可能とするようスライドファスナー７Ａによって開閉される縦長スリット状の孔部７を備えているものとできる。
ベルト部２には、その途中を切断した相対向する重なり部分が互いに長さを調整しながら接合可能となる長目の面ファスナー部（８Ａ，８Ｂ）、もしくはベルト部２の左右対称位置を切断し、この切断端それぞれに設けたフック構造部（８Ｃ，８Ｄ）等の固定手段８を付設して成るものとできる。
【０００６】
以上のように構成された本発明に係る恥骨矯正具１において、恥骨部域Ａに対応するクロッチ部３の内側に設けられた矯正用の空気袋体４Ａは、当該恥骨部域Ａの例えば膨出・隆起した部分を空気圧による圧迫作用によって矯正させる。
臍部域Ｅに対応するクロッチ部３内側位置に配置させた空気袋体４Ｂは、下腹部である当該臍部域Ｅの例えば膨出・隆起した部分を空気圧による圧迫力によって矯正させ、また腹筋を強化させる。
空気袋体４Ａ，４Ｂに給気管５を介して接続されている携帯式に所持可能なエアーポンプ６は、当該エアーポンプ６に対する圧縮動作でもって空気袋体４に空気を送り込んで所定の空気圧の状態に膨張させる。
クロッチ部３中央の縦長スリット状の孔部７は、男性の排尿に際し、スライドファスナー７Ａによって開放されて人体の陰茎部Ｄをクロッチ部３外側へ突出可能にさせ男性の使用を可能にし、また閉塞しておくことで女性の使用を可能にさせる。
長目の面ファスナー部等の固定手段８は、長手方向に沿った相対向する重なり部分において、腹部の大小寸法に応じて任意に長さを調整させながら接合固定させる。
ベルト部２の左右対称位置に設けたフック構造部（８Ｃ、８Ｄ）による固定手段８は、クロッチ部３を跨がずとも腹部に対しベルト部２を容易に装着可能にさせる。
【０００７】
【発明の実施の形態】
以下図面を参照して本発明の一実施の形態を説明すると、図１乃至図３に示される第１の実施の形態における符号１は、人体の股間部における恥骨部域Ａを強制的に押圧矯正することで股間部の凹凸形状を平坦状に整形するための後述する矯正用の空気袋体４を備えて成る男女兼用の例えばショーツタイプの恥骨矯正具である。
【０００８】
この恥骨矯正具１は、図１に示すように、人体の臍部域Ｅ上側の腹部位置に巻装される例えば縦幅ｄが約７ｍｍ程度の長さ調節可能なベルト部２と、ベルト部２前側下縁部の横幅Ｗ１が約２０ｃｍ程度の範囲から下方へ向けて次第に狭幅となるように延設され、人体の股間部における恥骨部域Ａ、肛門部域Ｂ、尾骨部域Ｃの横幅Ｗ２が約５．５ｃｍ程度の当接部位を経てベルト部２後側下縁部に至る狭幅帯状のクロッチ部３とを備えている。これらのベルト部２、クロッチ部３は着用に伴なう汚損等に対応できるように洗濯可能な素材例えば天然あるいは合成繊維による布帛等にて形成しておくと良い。
【０００９】
そしてベルト部２は、その途中を切断して長手方向に沿って互いに重なる状態で例えば臍部域Ｅよりも上側の腹部位置に巻装されるものとし、場合によっては伸縮可能に形成してある。そして、当該切断部の長手方向に沿った相対向する重なり部分には、例えば一方に長目に形成した雌側の面ファスナー部８Ａを付設し、他方に短目に形成した雄側の面ファスナー部８Ｂを付設して成る固定手段８を設けてあり、腹部の寸法に応じて互いに長さを調整しながら重なり部分同士を接合可能となるようにしてある。尚、固定手段８としては、複数のフック部であっても良い。
【００１０】
女性の場合は図２、男性の場合は図３に示すように、ベルト部２の下縁部位置からクロッチ部３における股間部の当接最下部位置までの高さＨ１は、男女着用者の体形にも依るが、通常のサイズとして約２５．５ｃｍ程度に採ってある。また、クロッチ部３の前側における、股間部の当接最下部位置から高さＨ２が約１８ｃｍ程度となる上側位置には横向きのダーツ部９が設けられ、このダーツ部９の中央箇所から恥骨部域Ａ・尾骨部域Ｃにかけて、男性が着用した場合の人体の陰茎部Ｄをクロッチ部３外側へ突出可能とするための例えば横幅約０．５ｍｍ程度の縦長スリット状の孔部７を備え、スライドファスナー７Ａによって開閉可能にしてある。尚、このスライドファスナー７Ａに替わって面ファスナーとしても良いことは勿論である。
【００１１】
そして、恥骨部域Ａに対応するクロッチ部３内側の左右対称位置には、当該恥骨部域Ａを空気圧によって押圧するための例えばポリエチレン等の合成樹脂製から成る例えば横約８ｃｍ、横約１５ｃｍ程度の矯正用の空気袋体４Ａが、クロッチ部３の生地自体に直に接着固定するか生地内に内包するか等して取り付けてあり、あるいはクロッチ部３の側面から着脱、挿入可能となるようにしてある。この空気袋体４Ａ自体は、股間部の前面、底面に当接するように側面からみて略Ｌ字形を呈するように形成しておいても良い。
【００１２】
尚、着脱可能とする場合には、クロッチ部３の左右に開閉自在な収容ポケット（図示せず）を形成しておき、この収容ポケット内に空気袋体４Ａを挿入するものとすれば良い。このように空気袋体４Ａを着脱自在としておくことで、使用に伴ないベルト部２、クロッチ部３等が汚損したときのそれらの洗濯等を容易にさせることができる。
【００１３】
この空気袋体４Ａには、嵌め込みキャップ状の蓋栓部材１０によって密栓可能な給気口１０Ａを設け、給気口１０Ａに対して着脱可能な給気管５および相互連通部５Ａを介して、携帯式に所持可能なエアーポンプ６に接続され、エアーポンプ６に対する圧縮動作でもって空気袋体４Ａに空気を送り込んで膨張させるようにしている。このとき、給気口１０Ａもしくは相互連通部５Ａの何れか側に逆止弁（図示せず）を設けることで、空気袋体４Ａ内部に一旦供給された空気が抜けないようにしても良い。またエアーポンプ６自体は空気袋体４Ａに対する圧力調整が可能となるように構成しても良い。
【００１４】
尚、本実施の形態では空気袋体４Ａ自体をエアーポンプ６を使って逐一膨張させるようにしているが、本発明はこれに限定されず、例えばエアーポンプ６を使用しないで、当初より内部に一定の加圧力によって圧縮空気を封入させて一体成形した密封構造の空気袋体４Ａを使用しても良いのである。
【００１５】
次に以上のように構成された実施の形態についての使用の一例を説明するに、図１に示すように、先ずベルト部２の固定手段８を外した状態で、通常下着のショーツを着用する如く、クロッチ部３を跨ぐようにして人体の股間部における恥骨部域Ａ、肛門部域Ｂ、尾骨部域Ｃに当該クロッチ部３を当てがうようにしてからベルト部２を腹部に巻装させ、当該ベルト部２の重なり部分を固定手段８によって長さ調節しながら固定する。
【００１６】
このとき、恥骨部域Ａに対応するクロッチ部３箇所に取り付けてある矯正用の空気袋体４Ａをクロッチ部３内側の左右対称位置に配置させる。この空気袋体４Ａの給気口１０Ａに給気管５を接続し、相互連通部５Ａを介してエアーポンプ６に接続し、エアーポンプ６に対する圧縮動作でもって空気袋体４に空気を送り込んで膨張させる。膨張後には給気口１０Ａを嵌め込みキャップ状の蓋栓部材１０によって密栓しておけば良い（図２参照）。
【００１７】
尚、このエアーポンプ６は、空気袋体４Ａを膨脹させて使用している間は空気袋体４Ａから取り外しておくが、空気袋体４Ａの給気口１０Ａに接続されたまま常時身体の何処かに所持されるものとしてもよい。また男性が着用した場合の排尿時には、図３に示すようにスライドファスナー７Ａを開放させた縦長スリット状の孔部７から人体の陰茎部Ｄをクロッチ部３外側へ突出させれば良い。こうして人体の股間部における恥骨部域Ａの例えば膨出・隆起した部分を空気圧による圧迫力によって矯正するのである。
【００１８】
また、図４には本発明に係る恥骨矯正具１の第２の実施の形態が示されており、前記した第１の実施の形態と略同じ箇所には同じ符号を附してある。すなわち、本実施の形態における恥骨矯正具１は、人体の腹部に巻装される例えば縦幅ｄが約７ｍｍ程度の長さ調節可能なベルト部２の例えば左右側対称位置をそれぞれで切断分離すると共に、分離箇所の一方側には上下一対のアーム部からそれぞれ外方へ向けて爪状の突起を備えて成る二股フック状の係止部８Ｃを設け、他方側にはこの係止部８Ｃ自体を挿入して突起を係架保持させるための矩形鞘状の被係止部８Ｄを設けて成るフック構造部を形成してある。尚、図示による説明を省略したが、係止部８Ｃもしくは被係止部８Ｄのいずれか一方にはベルト部２の切断端に対する取付位置を腹部の寸法に応じて任意に調整することができるように構成してある。
【００１９】
またクロッチ部３は、ベルト部２前側下縁部の横幅Ｗ１が約２０ｃｍ程度の範囲から臍部域Ｅを覆うようにして下方へ向けて次第に狭幅となり、人体の股間部における恥骨部域Ａの横幅Ｗ２が約５．５ｃｍ程度の当接部位に至るまで延設されている。そして人体の股間部における肛門部域Ｂ、尾骨部域Ｃの当接部位に対応する細幅なクロッチ背面部３Ａを経てベルト部２後側下縁部に至るものとしてある。
【００２０】
恥骨部域Ａに対応するクロッチ部３箇所の側面から矯正用の空気袋体４Ａを挿入し、恥骨部域Ａに対応するクロッチ部３内側の左右対称位置に配置させておく。この空気袋体４Ａの給気口１０Ａに給気管５を接続し、相互連通部５Ａを介してエアーポンプ６に接続する。これとは別に同時に臍部域Ｅを覆う位置におけるクロッチ部３の内側には矯正用の空気袋体４Ｂを取り付けあるいは側面から着脱自在に挿入し、臍部域Ｅに対応するクロッチ部３内側位置に配置させておき、この空気袋体４Ａの給気口１０Ａに相互連通部５Ａから分岐した３つ目の給気管５を接続する。
【００２１】
そして、相互連通部５Ａをエアーポンプ６に接続し、エアーポンプ６に対する圧縮動作でもって空気袋体４Ａ，４Ｂに空気を送り込んで膨張させることで恥骨部域Ａおよび臍部域Ｅを任意の加圧感で圧迫するものとする。膨張後には給気口１０Ａを嵌め込みキャップ状の蓋栓部材１０によって密栓しておけば良い。
【００２２】
尚、上記した各実施の形態において、エアーポンプ６は、例えば手指の握力による繰り返しの圧縮動作でもって空気袋体４Ａ，４Ｂに空気を送り込んで膨張させるものとしているが、エアーポンプ６に替わって繰り返し給気乃至排気動作を行う給排気装置を使用して空気袋体４自体に膨縮運動を行わせることで、恥骨矯正具１自体を恥骨マッサージ具のように使用しても良い。
【００２３】
【発明の効果】
本発明は以上のように構成されているために、男女を問わず下着ショーツのように常時着用することで、人体の股間部における恥骨部域Ａの例えば膨出・隆起した部分を空気圧による圧迫力によって矯正し、平坦状となるように容易に整形することができる。
【００２４】
すなわちこれは本発明が、人体の腹部に巻装されるベルト部２と、ベルト部２前側下縁部から人体の股間部における恥骨部域Ａ、肛門部域Ｂ、尾骨部域Ｃを経てベルト部２後側下縁部に至るクロッチ部３とを備え、恥骨部域Ａに対応するクロッチ部３の内側に、当該恥骨部域Ａを空気圧によって押圧する矯正用の空気袋体４Ａを備えて成るからであり、これにより、通常の下着ショーツのように着用するだけで人体の股間部における恥骨部域Ａに圧迫作用を容易に付与し、その突出を抑制することができる。
【００２５】
クロッチ部３の側面から矯正用の空気袋体４Ｂを挿入し、臍部域Ｅに対応するクロッチ部３内側位置に配置させたので、通常の下着ショーツのように着用するだけで人体の臍部域Ｅに掛かる圧迫力を容易に付与することができるばかりでなく、腹筋等を強化できる。
【００２６】
空気袋体４Ａ，４Ｂは、着脱可能な給気管５を介して携帯式に所持可能なエアーポンプ６に接続されているので、エアーポンプ６に対する圧縮動作でもって空気袋体４Ａ，４Ｂに空気を送り込んで所定の空気圧の状態に膨張させることができる。
【００２７】
クロッチ部３の中央箇所における恥骨部域Ａから尾骨部域Ｃにかけて、人体の陰茎部Ｄをクロッチ部３外側へ突出可能とするようスライドファスナー７Ａによって開閉される縦長スリット状の孔部７を備えているので、男性の排尿に際し、人体の陰茎部Ｄをクロッチ部３外側へ容易に突出させることができる。
【００２８】
ベルト部２には、その途中を切断した相対向する重なり部分が互いに長さを調整しながら接合可能となる長目の面ファスナー部等の固定手段８を付設して成るので、長手方向に沿った相対向する重なり部分において、腹部の寸法に応じて任意に長さに調整しながら重なり部分同士を容易に接合固定することができる。
【００２９】
また、ベルト部２の左右対称位置を切断し、この切断端それぞれに設けたフック構造部（８Ｃ，８Ｄ）等の固定手段８を付設してあるので、クロッチ部３を跨がずとも左右のフック構造部（８Ｃ，８Ｄ）をそれぞれ取り外すだけで腹部に対するベルト部２の装着が容易に行えると共に、ベルト部２の取り外しも簡単に行えるものとなる。
【図面の簡単な説明】
【図１】本発明の第１の実施の形態における斜視図である。
【図２】同じく女性の使用状態を示す正面図である。
【図３】同じく男性の使用状態を示す断面図である。
【図４】本発明の第２の実施の形態を示す斜視図である。
【符号の説明】
Ａ…恥骨部域　　　　　　　　　　　　Ｂ…肛門部域
Ｃ…尾骨部域　　　　　　　　　　　　Ｄ…陰茎部
Ｅ…臍部域
１…恥骨矯正具　　　　　　　　　　　２…ベルト部
３…クロッチ部　　　　　　　　　　　３Ａ…クロッチ背面部
４Ａ…空気袋体　　　　　　　　　　　４Ｂ…空気袋体
５…給気管　　　　　　　　　　　　　５Ａ…相互連通部
６…エアーポンプ　　　　　　　　　　７…孔部
７Ａ…スライドファスナー　　　　　　８…固定手段
８Ａ…雌側の面ファスナー部　　　　　８Ｂ…雄側の面ファスナー部
８Ｃ…係止部　　　　　　　　　　　　８Ｄ…被係止部
９…ダーツ部　　　　　　　　　　　　１０…蓋栓部材
１０Ａ…給気口
【図１】
2004041610.tif 000003
【図２】
2004041610.tif 000004
【図３】
2004041610.tif 000005
【図４】
2004041610.tif 000006